(57)【要約】【課題】開口部を容易かつ確実に開閉することができる口金と、該口金が取り付けられた小物入れと、を提供する。【解決手段】口金１００は、第１金具１０ａ、第２金具１０ｂおよびコイルスプリング２０を具備する。第１金具１０ａは、取付部１１ａと、これに取付部側曲がり部１２ａを介して接続された後退部１３ａと、これに中央曲がり部１４ａを介して接続された進出部１５ａと、これに開閉部側曲がり部１６ａを介して接続された開閉部１７ａとを具備し、第２金具１０ｂは第１金具１０ａに同一形状で並べて配置される。コイルスプリング２０は伸長時に、第１金具１０ａの後退部１３ａ、中央曲がり部１４ａおよび進出部１５ａと、第２金具１０ｂの後退部１３ｂ、中央曲がり部１４ｂおよび進出部１５ｂとを包囲し、一方、短縮時に、第１金具１０ａの進出部１５ａと第２金具１０ｂの進出部１５ｂを包囲しない。【選択図】図１
0003152575.tif 000002
【実用新案登録請求の範囲】
【請求項１】
後退部と、該後退部の一方の端部に略９０°の曲がり部を介して接続された進出部と、該進出部の一方の端部に略１８０°の曲がり部を介して接続された開閉部と、前記後退部に設置されたコイル抜け止め手段とを具備する第１金具と、
該第１金具と同一形状の第２金具と、
伸長した際、前記第１金具の後退部および進出部と前記第２金具の後退部および進出部とを包囲すると共に、短縮した際、前記第１金具の後退部と前記第２金具の後退部とを包囲するコイルスプリングと、を有し、
前記コイルスプリングが伸長した際、前記第１金具の開閉部と前記第２金具の開閉部とが略平行に配置され、前記コイルスプリングが短縮した際、前記第１金具の開閉部と前記第２金具の開閉部とが略Ｖ字状に配置可能であることを特徴とする口金。
【請求項２】
取付部と、該取付部の一方の端部に略１８０°の曲がり部を介して接続された後退部と、該後退部の一方の端部に略９０°の曲がり部を介して接続された進出部と、該進出部の一方の端部に略１８０°の曲がり部を介して接続された開閉部とを具備する第１金具と、
該第１金具と同一形状の第２金具と、
伸長した際、前記第１金具の後退部および進出部と前記第２金具の後退部および進出部とを包囲すると共に、短縮した際、前記第１金具の後退部と前記第２金具の後退部とを包囲するコイルスプリングと、を有し、
前記コイルスプリングが伸長した際、前記第１金具の開閉部と前記第２金具の開閉部とが略平行に配置され、前記コイルスプリングが短縮した際、前記第１金具の開閉部と前記第２金具の開閉部とが略Ｖ字状に配置可能であることを特徴とする口金。
【請求項３】
請求項１記載の口金と、開口部を具備する袋体と、を有し、
前記第１金具の開閉部が、前記袋体の開口部を形成する周縁の一部に設置され、
前記第２金具の開閉部が、前記第１金具の開閉部に対向可能に前記袋体の開口部を形成する周縁の一部に設置されることを特徴とする小物入れ。
【請求項４】
請求項２記載の口金と、開口部を具備する袋体と、を有し、
前記第１金具の開閉部が、前記袋体の開口部を形成する周縁の一部に設置され、
前記第２金具の開閉部が、前記第１金具の開閉部に対向可能に前記袋体の開口部を形成する周縁の一部に設置され、
前記第１金具の取付部および前記第２金具の取付部が、前記袋体の開口部を除く位置に取り付けられることを特徴とする小物入れ。
【考案の詳細な説明】
【技術分野】
【０００１】
本考案は口金および小物入れ、特に、可撓性を具備する袋体の開口部に設置される口金、および該口金が取り付けられた小物入れに関する。
【背景技術】
【０００２】
従来、財布等の袋状物の開閉部には口金が取り付けられていた。口金は、一対のコ字状の枠体からなり、該枠体の両端が互いに回動自在に接続され、該枠体の略中央部を互いに着脱自在に係止する係止手段を有していた（例えば、特許文献１参照）。
【先行技術文献】
【特許文献】
【０００３】
【特許文献１】特開２００２−０６５３３３号公報（第２頁、図１）
【考案の概要】
【考案が解決しようとする課題】
【０００４】
しかしながら、特許文献１に開示された口金は、開口部を開くときは、係止手段を開放して枠体を回動して離し、一方、開口部を閉じるときには、枠体を回動して互いに当接することによって係止手段を係止するものである。このため、枠体を回動して互いに当接させない限り開口部を閉じることができないため、閉め忘れることがあるという問題や、係止が不十分である場合には、自然に開口部が開くという問題があった。
【０００５】
本考案は上記問題を解決するものであって、開口部を確実に閉じることができるとともに、容易に開くことができる口金と、該口金が取り付けられた小物入れと、を提供することを目的とする。
【課題を解決するための手段】
【０００６】
（１）本考案に係る口金は、後退部と、該後退部の一方の端部に略９０°の曲がり部を介して接続された進出部と、該進出部の一方の端部に略１８０°の曲がり部を介して接続された開閉部と、前記後退部に設置されたコイル抜け止め手段とを具備する第１金具と、
該第１金具と同一形状の第２金具と、
伸長した際、前記第１金具の後退部および進出部と前記第２金具の後退部および進出部とを包囲すると共に、短縮した際、前記第１金具の後退部と前記第２金具の後退部とを包囲するコイルスプリングと、を有し、
前記コイルスプリングが伸長した際、前記第１金具の開閉部と前記第２金具の開閉部とが略平行に配置され、前記コイルスプリングが短縮した際、前記第１金具の開閉部と前記第２金具の開閉部とが略Ｖ字状に配置可能であることを特徴とする。
【０００７】
（２）また、取付部と、該取付部の一方の端部に略１８０°の曲がり部を介して接続された後退部と、該後退部の一方の端部に略９０°の曲がり部を介して接続された進出部と、該進出部の一方の端部に略１８０°の曲がり部を介して接続された開閉部とを具備する第１金具と、該第１金具と同一形状の第２金具と、
伸長した際、前記第１金具の後退部および進出部と前記第２金具の後退部および進出部とを包囲すると共に、短縮した際、前記第１金具の後退部と前記第２金具の後退部とを包囲するコイルスプリングと、を有し、
前記コイルスプリングが伸長した際、前記第１金具の開閉部と前記第２金具の開閉部とが略平行に配置され、前記コイルスプリングが短縮した際、前記第１金具の開閉部と前記第２金具の開閉部とが略Ｖ字状に配置可能であることを特徴とする。
【０００８】
（３）さらに、本考案に係る小物入れは、前記（１）に記載された口金と、開口部を具備する袋体と、を有し、
前記第１金具の開閉部が、前記袋体の開口部を形成する周縁の一部に設置され、
前記第２金具の開閉部が、前記第１金具の開閉部に対向可能に前記袋体の開口部を形成する周縁の一部に設置されることを特徴とする。
【０００９】
（４）さらに、本考案に係る小物入れは、前記（２）に記載された口金と、開口部を具備する袋体と、を有し、
前記第１金具の開閉部が、前記袋体の開口部を形成する周縁の一部に設置され、
前記第２金具の開閉部が、前記第１金具の開閉部に対向可能に前記袋体の開口部を形成する周縁の一部に設置され、
前記第１金具の取付部および前記第２金具の取付部が、前記袋体の開口部を除く位置に取り付けられることを特徴とする。
【考案の効果】
【００１０】
（ｉ）本考案に係る口金は、前記構成、すなわち、進出部と開閉部とが略平行で、後退部と進出部と直角に接続されている第１金具および第２金具と、双方の後退部および進出部を包囲するコイルスプリングと、を有し、コイルスプリングが伸長した際、第１金具および第２金具の開閉部が略平行に配置され、前記コイルスプリングが短縮した際、前記第１金具の開閉部と前記第２金具の開閉部とが略Ｖ字状に配置可能であるから、第１金具および第２金具の開閉部をそれぞれ袋体の開口部に設置すれば、コイルスプリングを短縮させれば、開口部を開くことができ、反対に伸長させるだけで、開口部を閉じることができる。このとき、短縮したコイルスプリングは自動的に伸長するから、手を添えることなく（手をコイルスプリングから離すだけで）、開口部を閉じることができる。
【００１１】
（ｉｉ）本考案に係る口金は、前記（２）に記載した構成において、後退部に平行した取付部を有するから、前記（ｉ）の効果を奏すると共に、前記取付部を袋体の開口部を除く位置に取り付けるだけで、口金と袋体との一体性が増し、コイルスプリングの伸縮操作がさらに容易になる。
【００１２】
（ｉｉｉ）さらに、本考案に係る小物入れは、袋体の開口部に前記（ｉ）または（ｉｉ）に記載した効果を奏する口金が設置されているから、コイルスプリングを短縮（圧縮）すれば、開口部を容易に開くことができ、反対に伸長するだけで、開口部を確実に閉じることができる。すなわち、開口部を閉じるには、手をコイルスプリングから離して解放するだけでよいため、開口部を閉め忘れることがなくなる。
【図面の簡単な説明】
【００１３】
【図１】本考案の実施の形態１に係る口金を説明する、第１金具を示す斜視図、組み立て状態を示す斜視図、動作を示す斜視図。
【図２】本考案の実施の形態２に係る小物入れを構成する袋体のみを示す斜視図。
【図３】本考案の実施の形態２に係る小物入れを示す斜視図である。
【考案を実施するための形態】
【００１４】
［実施の形態１］
図１は本考案の実施の形態１に係る口金を説明するものであって、（ａ）は構成部材（第１金具）を示す斜視図、（ｂ）は組み立て状態を示す斜視図、（ｃ）は動作を示す斜視図である。なお、各図は模式的に描かれたものであるから、各部位の相対的な大小関係等は限定するものではない。
【００１５】
図１の（ａ）において、口金１００を構成する部材である第１金具１０ａは、取付部１１ａの一方の端部に略１８０°の取付部側曲がり部１２ａを介して接続された後退部１３ａと、後退部１３ａの一方の端部に略９０°の中央曲がり部１４ａを介して接続された進出部１５ａと、進出部１５ａの一方の端部に略１８０°の開閉部側曲がり部１６ａを介して接続された開閉部１７ａとを具備する。
すなわち、取付部１１ａと後退部１３ａとが平行で、進出部１５ａと開閉部１７ａとが平行で、後退部１３ａと進出部１５ａとが略Ｌ字状に接続されているから、取付部１１ａと開閉部１７ａとが略Ｌ字状に配置されている。よって、全体が略Ｌ字形をしている。
【００１６】
口金１００を構成する部材である第２金具１０ｂ（図示しない）は、第１金具１０ａと同一形状である。したがって、第２金具１０ｂを構成する各部位の符号には、第１金具１０ａの相当する部位の符号と同じ数字を付して、添え字をａからｂに変更し、説明を省略する。
【００１７】
図１の（ｂ）において、口金１００は、並べて配置された第１金具１０ａおよび第２金具１０ｂと、伸長した際、第１金具１０ａの後退部１３ａ、中央曲がり部１４ａおよび進出部１５ａと、第２金具１０ｂの後退部１３ｂ、中央曲がり部１４ｂおよび進出部１５ｂとを包囲するコイルスプリング２０とを有している。
このとき、第１金具１０ａの取付部１１ａと第２金具１０ｂの取付部１１ｂとは、平行で所定の間隔を空けて離れているか、あるいは全長が互いに当接している。同様に、第１金具１０ａの開閉部１７ａと第２金具１０ｂの開閉部１７ｂとは、平行で所定の間隔を空けて離れているか、あるいは全長が互いに当接している。なお、前記伸長したコイルスプリング２０は弾性復元した状態であるが、僅かに圧縮された状態であってもよい。
【００１８】
図１の（ｃ）において、コイルスプリング２０は短縮し（圧縮され）、第１金具１０ａの後退部１３ａと第２金具１０ｂの後退部１３ｂとを包囲している。
このとき、コイルスプリング２０は第１金具１０ａの進出部１５ａと第２金具１０ｂの進出部１５ｂとを包囲しないため、第１金具１０ａはコイルスプリング２０に包囲された後退部１３ａを中心にして回転可能になる。同様に、第２金具１０ｂはコイルスプリング２０に包囲された後退部１３ｂを中心にして回転可能になる。
したがって、第１金具１０ａまたは第２金具１０ｂの一方または両方が、前記回転をすると、第１金具１０ａの開閉部１７ａと第２金具１０ｂの開閉部１７ｂとは、Ｖ字状を呈する（第１金具１０ａの開閉部側曲がり部１６ａと第２金具１０ｂの開閉部側曲がり部１６ｂとが離れる）。このとき、第１金具１０ａの取付部１１ａと第２金具１０ｂの取付部１１ｂとは、略平行で所定の間隔を空けて離れている。
【００１９】
［実施の形態２］
図２および図３は本考案の実施の形態２に係る小物入れを説明するものであって、図２は小物入れを構成する袋体のみを示す斜視図、図３は小物入れを示す斜視図である。なお、図２および図３において、（ａ）は開口部が閉じた様子、（ｂ）は開口部が開いた様子を示し、実施の形態１（図１）と同じ部位には同じ符号を付し、説明を省略する。また、図２および図３は模式的に描かれたものであるから、各部位の相対的な大小関係（アスペクト比等）を限定するものではない。
【００２０】
袋体３０は、可撓性を有するシート材によって形成され、表面部３１ａと、裏面部３１ｂとが接合している一方の側部３２および底部３３と、一方の側部３２に対向した他方の側部３４に設置されている三角形状の折り畳み部３５とを有している。そして、表面部３１ａの周縁３７ａと、裏面部３１ｂの周縁３７ｂと、折り畳み部３５の周縁３６と、によって開口部３８が形成されている。すなわち、折り畳み部３５が開いた（周縁３６が略直線状になった）とき、略三角形状の開口部３８が形成され（図３の（ｂ）参照）、反対に、折り畳み部３６が折り畳まれたとき、開口部３８が閉じる（図３の（ａ）参照）。
【００２１】
また、周縁３７ａおよび周縁３７ｂには、口金１００の開閉部１７ａおよび開閉部１７ｂがそれぞれ侵入自在な開閉部設置筒４７ａおよび開閉部設置筒４７ｂが、設けられ、一方の側部３２には口金１００の取付部１１ａおよび取付部１１ｂが侵入自在な取付部設置筒４１ａおよび取付部設置筒４１ｂが設けられている。
【００２２】
そして、小物入れ２００において、袋体３０の開閉部設置筒４７ａおよび開閉部設置筒４７ｂに第１金具１０ａの開閉部１７ａおよび第２金具１０ｂの開閉部１７ａがそれぞれ侵入し、取付部設置筒４１ａおよび取付部設置筒４１ｂに第１金具１０ａの取付部１１ａおよび第２金具１０ｂの取付部１１ｂがそれぞれ侵入している。
【００２３】
なお、本考案は図示するものに限定するものではなく、たとえば、第１金具１０ａの取付部１１ａまたは第２金具１０ｂの取付部１１ｂの一方または両方を撤去してもよい。
また、第１金具１０ａの取付部１１ａおよび曲がり部１２ａと、  第２金具１０ｂの取付部１１ｂおよび曲がり部１２ｂとの両方を撤去して、コイルスプリング２０が抜け出さないように、後退部１３ａまたは後退部１３ｂの一方または両方に抜け出し防止手段（たとえば、屈曲部、径大部等）を設けてもよい。
また、第１金具１０ａの取付部側曲がり部１２ａおよび開閉部側曲がり部１６ａは円弧状であるものに限定するものではなく、たとえば直線を介した四辺形状でもよい（第２金具に同じ）。
さらに、第１金具１０ａの進出部１５ａおよび開閉部１７ａは直線であるものに限定するものではなく、略円弧状あるいは略楕円の一部であってもよい（第２金具に同じ）。このとき、かかる口金は、開口部（周縁）の形状が略円弧状あるいは略楕円の一部である小物入れに取り付けられることになる。
【産業上の利用可能性】
【００２４】
本考案によれば、開口部の開閉が容易かつ確実であって、閉め忘れがなくなるから、財布、ハンドバック等の小物入れの開口部は勿論、衣類のポケットやフレキシブルコンテナー等の各種袋体の開口部に設置することができる。すなわち、容易かつ確実な開閉が要求される各種袋体として広く利用することができる。
【符号の説明】
【００２５】
１０ａ  第１金具
１０ｂ  第２金具
１１ａ  取付部
１２ａ  取付部側曲がり部
１３ａ  後退部
１４ａ  中央曲がり部
１５ａ  進出部
１６ａ  開閉部側曲がり部
１７ａ  開閉部
２０    コイルスプリング
３０    袋体
３１ａ  表面部
３１ｂ  裏面部
３２    側部
３３    底部
３４    側部
３５    折り畳み部
３６    周縁
３７ａ  周縁
３７ｂ  周縁
３８    開口部
４１ａ  取付部設置筒
４１ｂ  取付部設置筒
４７ａ  開閉部設置筒
４７ｂ  開閉部設置筒
１００  口金（実施の形態１）
２００  小物入れ（実施の形態２）
【図１】
0003152575.tif 000003
【図２】
0003152575.tif 000004
【図３】
0003152575.tif 000005